(57)【特許請求の範囲】
【請求項１】
軸部と、この軸部の先端に連続する位置にあって当該先端よりも径の大きい頭部とを一体的に備え、軸部の先端及び頭部を表出させて取付対象物に取り付けられた軸状部材に対して、当該軸状部材を取付対象物から引き抜くための取り外し具であって、
前記軸状部材の頭部が通過可能な第１の開口と、前記軸状部材の軸部の先端が通過可能且つ頭部が通過不能な丸孔よりなる第２の開口とをシート状の基材に、当該第２の開口をなす丸孔の開口縁が略Ｃ字状をなすように開口同士を連通させた状態で形成し、軸状部材に対して基材を相対移動させることにより軸状部材の軸部の先端を第１の開口を経てその外周が第２の開口の内周に沿って係合する部位に位置づけ、その状態で基材の一部を軸方向に引っ張ることにより、第２の開口の開口縁を軸部の周囲から頭部に引っ掛けて当該軸状部材に前記取付対象物から引き抜く方向の力を加え得るようにしたことを特徴とする軸状部材の取り外し具。
【請求項２】
基材の一部を軸方向に引っ張るための摘み部が、当該基材のうち前記第１の開口および前記第２の開口と同じ面に設定されている請求項１記載の軸状部材の取り外し具。
【請求項３】
軸部と、この軸部の先端に連続する位置にあって当該先端よりも径の大きい頭部とを一体的に備え、軸部の先端及び頭部を表出させて取付対象物に取り付けられた軸状部材に対して、当該軸状部材を取付対象物から引き抜くための取り外し具であって、
前記軸状部材の頭部が通過可能な第１の開口と、前記軸状部材の軸部の先端が通過可能且つ頭部が通過不能な第２の開口とをシート状の基材に開口同士を連通させた状態で形成し、軸状部材に対して基材を相対移動させることにより軸状部材の軸部の先端を第１の開口を経て第２の開口の内側に位置づけ、その状態で基材の一部を軸方向に引っ張ることにより、第２の開口の開口縁を頭部に引っ掛けて当該軸状部材に前記取付対象物から引き抜く方向の力を加え得るようにしたものであり、
前記基材が、山形に折り曲げられる一対の折り曲げ片と、これらの折り曲げ片の先端より更に互いに重合する方向に折り曲げられる底片とを備え、当該基材の一部を軸方向に引っ張るための摘み部が前記一対の折り曲げ片に設定され、前記第１の開口および第２の開口が前記底片にそれぞれ形成されることを特徴とする軸状部材の取り外し具。
【請求項４】
軸部と、この軸部の先端に連続する位置にあって当該先端よりも径の大きい頭部とを一体的に備え、軸部の先端及び頭部を表出させて取付対象物に取り付けられた軸状部材と、当該軸状部材を取付対象物から引き抜くための取り外し具とを備えた軸状部材セットであって、
前記取り外し具は、前記軸状部材の頭部が通過可能な第１の開口と、前記軸状部材の軸部の先端が通過可能且つ頭部が通過不能な第２の開口とをシート状の基材に開口同士を連通させた状態で形成し、軸状部材に対して基材を相対移動させることにより軸状部材の軸部の先端を第１の開口を経て第２の開口の内側に位置づけ、その状態で基材の一部を軸方向に引っ張ることにより、第２の開口の開口縁を頭部に引っ掛けて当該軸状部材に前記取付対象物から引き抜く方向の力を加え得るようにしたものであり、
前記取り外し具によって袋体内に収容する台紙を構成し、若しくは当該取り外し具を袋体内に収容する台紙から切り取られる位置に形成して、この台紙に軸状部材をバックアップさせた状態で軸状部材および台紙を袋体内に収容したことを特徴とする軸状部材セット。
【請求項５】
軸部と、この軸部の先端に連続する位置にあって当該先端よりも径の大きい頭部とを一体的に備え、軸部の先端及び頭部を表出させて取付対象物に取り付けられた軸状部材と、当該軸状部材を取付対象物から引き抜くための取り外し具とを備えた軸状部材セットであって、
前記取り外し具は、前記軸状部材の頭部が通過可能な第１の開口と、前記軸状部材の軸部の先端が通過可能且つ頭部が通過不能な第２の開口とをシート状の基材に開口同士を連通させた状態で形成し、軸状部材に対して基材を相対移動させることにより軸状部材の軸部の先端を第１の開口を経て第２の開口の内側に位置づけ、その状態で基材の一部を軸方向に引っ張ることにより、第２の開口の開口縁を頭部に引っ掛けて当該軸状部材に前記取付対象物から引き抜く方向の力を加え得るようにしたものであり、
前記取り外し具によって中空のケースを構成し、若しくは当該取り外し具を中空のケースから切り取られる位置に形成して、このケース内に軸状部材を収容したことを特徴とする軸状部材セット。
【発明の詳細な説明】
【技術分野】
【０００１】
本発明は、ペン先や画鋲等の軸状部材に好適に利用できる、軸状部材の取り外し具及び軸状部材セットに関するものである。
【背景技術】
【０００２】
従来より、ペン先を交換できるように構成されたマーカー等の筆記具が知られている。この種のペン先は、一般にフェルト等によって構成されて、筆記具本体の筒状部に嵌入されており、ペンチ等でペン先を摘んで引き抜き、替えのペン先を差し込んで使用することができるものであるが、ペンチ等で掴んで引き抜いた際にインクが飛び散るなどの不都合があった。そこで、特許文献１のようにペン先を引き抜くための特殊な構造をペンの内部に作り込んだものや、特許文献２のようなペン先を抜くための治具をペンの一部やその包装容器等に付帯させるようにしたものが知られている。
【０００３】
さらに、特許文献３に示すようなものも考えられている。このものは、筆記具の軸筒部に嵌入されたペン先を引き抜くための治具を、ペン先を挟持する一対の挟持部を備えてなるものにし、少なくとも一方の挟持部に角部を設けて、ペン先外面に角部を食い込ませて挟持させ、ペン先を引き抜く際に挟持部をペン先からはずれにくくしているものである。
【先行技術文献】
【特許文献】
【０００４】
【特許文献１】特開２００２−３３１７９４号公報
【特許文献２】実開昭５７−１９１５８５号公報
【特許文献３】特開２００８−５５７４８号公報
【発明の概要】
【発明が解決しようとする課題】
【０００５】
しかしながら、特許文献１の構成ではペンの内部構造が複雑となり、特許文献２の構成ではペン以外に嵩高い治具が必要となってコストアップ等につながる不都合がある。特許文献３の治具は、構造簡単ではあるが、一対の挟持部でペン先を確実に摘めるように材料に金属を用いなければならないため、やはりコストアップや嵩高さにつながるという不都合がある。このような嵩高さは収納や流通の不便さにもつながるものである。
【０００６】
本発明は、これらの課題を有効に解消した軸状部材の取り外し具および軸状部材セットを実現することを目的としている。
【課題を解決するための手段】
【０００７】
本発明は、かかる目的を達成するために、次のような手段を講じたものである。
【０００８】
すなわち、本発明に係る軸状部材の取り外し具は、軸部と、この軸部の先端に連続する位置にあって当該先端よりも径の大きい頭部とを一体的に備え、軸部の先端及び頭部を表出させて取付対象物に取り付けられた軸状部材に対して、当該軸状部材を取付対象物から引き抜くためのものであって、前記軸状部材の頭部が通過可能な第１の開口と、前記軸状部材の軸部の先端が通過可能且つ頭部が通過不能な丸孔よりなる第２の開口とをシート状の基材に、当該第２の開口をなす丸孔の開口縁が略Ｃ字状をなすように開口同士を連通させた状態で形成し、軸状部材に対して基材を相対移動させることにより軸状部材の軸部の先端を第１の開口を経てその外周が第２の開口の内周に沿って係合する部位に位置づけ、その状態で基材の一部を軸方向に引っ張ることにより、第２の開口の開口縁を軸部の周囲から頭部に引っ掛けて当該軸状部材に前記取付対象物から引き抜く方向の力を加え得るようにしたことを特徴とする。
【０００９】
このようにすれば、第２の開口の開口縁を頭部に引っ掛けて引っ張る限りにおいては、頭部を縮径方向に圧縮して液の飛散等を招くことがなく、引き抜く際に基材が外れるおそれも低減して、確実に軸状部材を引き抜くことができる。しかも、軸状部材を引き抜く際の力を基材の開口縁を介して基材の部材強度で受けることができるので、樹脂シート等でも十分耐用して金属製の治具等を用いる必要がなく、しかも、基材がシート状であるため、嵩張らない状態で取り扱うことも容易となる。
【００１０】
シート状の基材を簡素に利用可能とするためには、基材の一部を軸方向に引っ張るための摘み部が、当該基材のうち前記第１の開口および前記第２の開口と同じ面に設定されていることが望ましい。
【００１１】
軸部と、この軸部の先端に連続する位置にあって当該先端よりも径の大きい頭部とを一体的に備え、軸部の先端及び頭部を表出させて取付対象物に取り付けられた軸状部材に対して、当該軸状部材を取付対象物から引き抜くための取り外し具において、前記軸状部材の頭部が通過可能な第１の開口と、前記軸状部材の軸部の先端が通過可能且つ頭部が通過不能な第２の開口とをシート状の基材に開口同士を連通させた状態で形成し、軸状部材に対して基材を相対移動させることにより軸状部材の軸部の先端を第１の開口を経て第２の開口の内側に位置づけ、その状態で基材の一部を軸方向に引っ張ることにより、第２の開口の開口縁を頭部に引っ掛けて当該軸状部材に前記取付対象物から引き抜く方向の力を加え得るように構成するにあたり、基材を摘んで引き抜き易くするために本発明は、基材が、山形に折り曲げられる一対の折り曲げ片と、これらの折り曲げ片の先端より更に互いに重合する方向に折り曲げられる底片とを備え、当該基材の一部を軸方向に引っ張るための摘み部が前記一対の折り曲げ片に設定され、前記第１の開口および第２の開口が前記底片にそれぞれ形成されていることを特徴とする。
【００１２】
本発明の好適な適用例としては、軸状部材がペン先であり、取付対象物がこのペン先を嵌入する筒状部を備えた筆記具本体であるものが挙げられる。
【００１３】
取り外し具を無駄なく効率的に構成して、軸状部材とともに取り扱えるようにするためには、取り外し具によって袋体内に収容する台紙を構成し、若しくは当該取り外し具を袋体内に収容する台紙から切り取られる位置に形成して、この台紙に軸状部材をバックアップさせた状態で軸状部材および台紙を袋体内に収容して軸状部材セットとすることが望ましい。
【００１４】
或いは、取り外し具によって中空のケースを構成し、若しくは当該取り外し具を中空のケースから切り取られる位置に形成して、このケース内に軸状部材を収容して軸状部材セットとすることも好適である。
【発明の効果】
【００１５】
本発明は、以上説明した構成であるから、コストを殆どかけずに極めて簡易な構成でペン先や画鋲等の軸状部材を引き抜くための取り外し具を構成することができ、嵩張りも効果的に解消可能して収納や流通の便も向上させた、新規有用な軸状部材の取り外し具および軸状部材セットとして利用に供することができる。
【図面の簡単な説明】
【００１６】
【図１】本発明の第１実施形態に係る取り外し具を示す図。
【図２】同第１実施形態の変形例を示す図。
【図３】本発明の第２実施形態に係る取り外し具を示す図。
【図４】同第２実施形態の使用状態を示す斜視図。
【図５】同第２実施形態の変形例を示す図。
【図６】本発明の第３実施形態に係る取り外し具を示す図。
【図７】本発明の第４実施形態に係るペン先セットを示す図。
【図８】本発明の第５実施形態に係るペン先セットを示す図。
【図９】本発明の他の適用例を示す図。
【発明を実施するための形態】
【００１７】
以下、本発明の幾つかの実施形態を、図面を参照して説明する。
（第１実施形態）
【００１８】
図１（ａ）に示す本実施形態の取り外し具１は、軸状部材であるペン先２を取付対象物であるペン本体３から引き抜くために利用される。ペン先２はフェルト等を素材としており、このペン先２とペン本体３とで筆記具、たとえば油性や水性のマーカーを構成するものである。
【００１９】
ペン先２は、軸部２１と、この軸部２１の先端２１ａに連続する位置にあって当該先端２１ａよりも径の大きい頭部２２とを一体に備えたもので、軸部２１の先端２１ａ及び頭部２２を表出させた状態で、当該軸部２１がペン本体２の筒状部に嵌入される。軸部２１は先端２１ａよりも基端２１ｂ側が再び拡径しており、前記先端２１ａは頭部２２と基端２１ｂの間の括れ部を構成している。以下、必要に応じてこの先端２１ａを括れ部２１ａとも称する。
【００２０】
そして、本実施形態の取り外し具１は、比較的硬質の樹脂シート（例えば、厚さ０．８ｍｍ程度のＰＥＴ）を基材１ａとし、この基材１ａに達磨孔１１を開口させた構成からなる。この達磨孔１１は、相対的に大径な丸孔１２と小径な丸孔１３とを一部において重合させ、当該小径な丸孔１３の開口縁が略Ｃ字状をなすように連通させたもので、大径な丸孔１２はペン先２の頭部２２が通過可能な本発明の第１の開口とされ、小径な丸孔１３は括れ部２１ａが通過可能かつペン先２の頭部２２が通過不能な本発明の第２の開口とされている。
【００２１】
この実施形態の適用対象であるペン先２の場合、括れ部の幅寸法ｗは０．８〜１ｍｍ程度、深さｄは０．５ｍｍ程度、頭部２２の径ｍは５〜６ｍｍ程度に設定されている。
【００２２】
そして、図１（ａ）に矢印で示すように、ペン先２の頭部２２を第１の開口１２に挿入して括れ部２１ａを開口縁に位置づけ、この位置からペン先２に対して基材１を相対移動させることによって、図１（ｂ）に示すようにペン先２の括れ部２１ａを第１の開口１２から第２の開口１２の内側に移動させて当該軸部２１の先端の括れ部２１ａを丸孔よりなる第２の開口１２の内周に沿って係合する部位に位置づけ、その状態で基材１の一部に設定した摘み部１４を図中矢印で示す軸方向に引っ張ることにより、第２の開口１３の開口縁を軸部２１の周囲から頭部２２に引っ掛けて当該ペン先２にペン本体３から引き抜く方向の力を加え得るようにしている。
【００２３】
この場合の摘み部１４は、当該基材１ａのうち前記第１の開口１２および前記第２の開口１３と同じ面にある周縁部、具体的には対向２辺に設定されており、摘み部１４を摘んで軸方向に操作することで、基材１ａを通じてペン先２に軸方向に沿った引き抜き力を加えることができる。
【００２４】
このようにすると、ペン先２に軸部２１と頭部２２があれば、第２の開口１３の開口縁を頭部２２に引っ掛けて引っ張る限りにおいては、ペンチを用いる場合のように頭部２２を縮径方向に圧縮して液の飛散等を招くことがなく、引き抜く際にも基材１がペン先２から外れる可能性も低減して、ペン先２を確実にペン本体から引き抜くことができる。しかも、ペン先２を引き抜く際の力を基材１ａの開口縁を介して当該基材１の部材強度で受けることができるので、樹脂シート等でも十分耐用して金属製の治具等を用いることを不要にすることができ、しかも、基材１ａがシート状であるため、嵩張らない状態で取り扱うことも容易となる。
【００２５】
特に、基材１ａの一部を軸方向に引っ張るための摘み部１４が、当該基材１のうち前記第１の開口１２および前記第２の開口１３と同じ面に設定されており、シート状の基材１をシート状のまま即座に引っ掛けて引っ張るだけで使用することができるので、使い勝手がよく、使用しないときの基材１ａの嵩張りは肉厚分だけであり、取扱いの便も極めて良好なものとなる。さらに、一対の対向辺を摘み部１４としており、親指と人差し指で摘んで極力軸方向に引っ張ることができるので、ペン先２に対して極力真っ直ぐに引っ張り力を作用させることができ、効率よくペン先２を引き抜くことができるようになる。
【００２６】
なお、樹脂シートがこれよりも軟質あるいは薄肉な素材からなる場合には、図２に示すように取り外し具１０１の基材１０１ａを一対の折曲げ片１１０ａ、１１０ｂから構成して、各々の折り曲げ片１１０ａ、１１０ｂに上記と同様の達磨孔１１１ａ、１１１ｂを形成し、２つ折りに折り曲げることによって達磨孔１１１ａ、１１１ｂ同士が厚み方向に重合するようにしてもよい。摘み部も、上記のように対向２辺に設定するほか、折り線と反対側の縁部に当該摘み部１１４を設定して折り曲げ片１１０ａ、１１０ｂ同士を綴じるかたちで摘むようにすることも有効である。
（第２実施形態）
【００２７】
図３および図４（ａ）に示す本実施形態の取り外し具２０１も、軸状部材であり前記実施形態と同様の構成からなるペン先２を取付対象物であるペン本体３から引き抜くために利用される。
【００２８】
本実施形態の取り外し具２０１は、比較的薄肉軟質の樹脂シート（例えば、厚さ０．３ｍｍ程度のＰＥＴ）を基材２０１ａとし、この基材２０１ａが、山形に折り曲げられる一対の折り曲げ片２１０ａ、２１０ｂと、これらの折り曲げ片２１０ａ、２１０ｂの先端より更に互いに重合する方向に折り曲げられる底片２１０ｃ、２１０ｄとから構成されて、基材２０１ａの一部を図４に矢印Ａで示すように軸方向に引っ張るために前記一対の折り曲げ片２１０ａ、２１０ｂの折り線近くに摘み部２１４が設定され、底片２１０ｃ、２１０ｄにそれぞれ達磨孔２１１ａ、２１１ｂが形成されている。これらの達磨孔２１１ａ、２１１ｂは、相対的に大径な丸孔２１２ａと小径な丸孔２１３ａ（２１２ｂと２１３ｂ）を一部において重合、連通させたもので、大径な丸孔２１２ａ、２１３ａはペン先２の頭部２２が通過可能な本発明の第１の開口とされ、小径な丸孔２１３ａ、２１３ｂは括れ部２１ａが通過可能かつペン先２の頭部２２が通過不能な本発明の第２の開口とされている点で上記実施形態と同様である。達磨孔２１１ａ、２１１ｂ同士は、折曲げ片２１０ａ、２１０ｂ同士が近づく方向または遠ざかる方向に移動しこれに伴い底片２１０ｃ、２１０ｄ同士が相対移動する方向に沿って第１の開口２１２ａと第２の開口２１３ａ（２１２ｂ、２１３ｂ）が隣接しており、図４（ｂ）に示すように第１の開口２１２ａ、２１２ｂ同士が重合する状態と、図４（ｃ）に示すように第２の開口２１３ａ、２１３ｂ同士が重合する状態とをとり得るように構成してある。
【００２９】
そして、この実施形態では、一方の底片２１０ｃから舌片状の操作片２１５が突出して、他方の底片２１０ｄと折り曲げ片２１０ｂとの境界部分における切り起こした位置に設けたスリット２１６を介して引き出されており、この操作片２１５を図４（ａ）に矢印Ｂで示すように操作することで、図４（ｂ）のように第１の開口２１２ａ、２１２ｂ同士が重合する状態と、図４（ｃ）のように第２の開口２１３ａ、２１３ｂ同士が重合する状態とに、底片２１０ｃ、２１０ｄ同士の相対位置を切り替えるようにしている。
【００３０】
しかして、第１の開口２１３ａ、２１３ｂ同士が重合した状態でペン先２の頭部２２を第１の開口２１２ｂ、２１２ａに括れ部２１ａまで挿入し、この位置から操作片２１５を操作することでペン先２に対して基材２０１ａの底片２１０ｃ、２１０ｄを相対移動させ、括れ部２１ａを第２の開口２１３ｂ、２１３ａ同士が重合する部位の内側に位置づける。そして、その状態で基材２０１ａの摘み部２１４を図４（ａ）に矢印Ａで示す軸方向に引っ張ることにより、第２の開口２１３ａ、２１３ｂの開口縁を頭部２２に引っ掛けて当該ペン先２にペン本体３から引き抜く方向の力を加えることができる。図３において符号２１７で示すものは、折曲げ片２１０ａ、２１ｂを部分的に変形し易くして摘み部２１４を摘み易くするためのスリットである。
【００３１】
このようにしても、ペン先２に軸部２１と頭部２２さえあって、第２の開口２１３ａ、２１３ｂの開口縁を頭部２２に引っ掛けて引っ張る限りにおいては、頭部２２を縮径方向に圧縮して液の飛散等を招くことがなく、引き抜く際に基材２０１ａが外れるおそれも低減して、ペン先２を確実にペン本体３から引き抜くことができる。しかも、ペン先２を引き抜く際の力を基材２０１ａの開口縁を介して当該基材２０１ａの面方向の部材強度で受けるので、この場合も樹脂シート等で十分耐用して金属製の治具等を用いる必要がなく、しかも、展開すれば基材２０１ａはシート状をなすため、嵩張らない状態で取り扱うことも容易となる。
【００３２】
特に、この実施形態も摘み部２１４を摘んで引き抜く際の操作力が一対の底片２１０ｃ、２１０ｄから均等にペン先２に作用するので、図１に示したと同様、ペン先２に軸心に沿って引っ張り力を作用させることができ、真っ直ぐ効率よくペン先を引き抜くことができるようになる。
【００３３】
なお、図４において一対の底片２１０ａ、２１０ｂに設ける達磨孔２１１ａ、２１１ｂは、図５に示す取り外し具２０１´のように、折曲げ片２１０ａ、２１０ｂ同士が近づく方向または遠ざかる方向に移動する方向と直交する方向に第１の開口２１２ａ、２１２ｂおよび第２の開口２１３ａ、２１３ｂが隣接して開口するものであってもよい。この場合は、当初より第１の開口２１２ａ、２１２ｂ同士、第２の開口２１３ａ、２１３ｂ同士をそれぞれ重合させた状態で、第１の開口２１２ａ、２１２ｂにペン先２を挿入し、しかる後に基材２０１ａを相対移動させてペン先２を第２の開口２１３ａ、２１３ｂ側に移動させることで、前記実施形態と同様にペン先２を軸方向に引き抜くことができる。
（第３実施形態）
【００３４】
図６に示す本実施形態の取り外し具３０１も、軸状部材であり前記実施形態と同様の構成からなるペン先２を取付対象物であるペン本体３から引き抜くために利用されるものである。
【００３５】
本実施形態の取り外し具３０１も、比較的軟質の樹脂シート（例えば、厚さ０．３ｍｍ程度のＰＥＴ）を基材３０１ａとするもので、台形の上底同士を向き合わせた形態の孔３１１を形成して、両側の下底に近い部分をペン先２の頭部２２が通過可能な第１の開口３１２とし、中央の上底同士が重なった部位（狭窄部）の周辺を、前記ペン先２の括れ部２１ａが通過可能且つ頭部２２が通過不能な第２の開口３１３としている。
【００３６】
そして、ペン先２を図６（ｂ）に想像線で示すように基材３０１ａに設けた一対の第１の開口３１２、３１２のうちの何れかに挿入し、しかる後に括れ部２１ａを第２の開口３１２の内側に相対移動させて、狭窄部が設けられた部位を折り線として両側の折り曲げ片３１０ａ、３１０ｂを谷折りに折り曲げ、その一部に設定した摘み部３１４を摘んで軸方向に引っ張ることにより、第２の開口３１３の開口縁を頭部２２に引っ掛けてペン先２にペン本体３から引き抜く方向の力を加え得るようにしている。
【００３７】
このようにすると、基材３０１ａが薄くともペン先２を引き抜くことができ、しかもペン先２に極力軸方向に沿った引き抜き力を作用させることができ、構造も簡素となる。
（第４実施形態）
【００３８】
図７は、軸状部材であるペン先２を袋体４０１内に収容して流通させるための軸状部材セットたるペン先セット４００を示すもので、袋体４０１内には内容物であるペン先２をバックアップする台紙４０２が収容され、この台紙４０２が上記取り外し具１、１０１、２０１等を構成し、若しくはこの台紙４０２からミシン目等の破断誘導部を介して上記取り外し具１、１０１、２０１等を切り取ることができるようにしたものである。
【００３９】
このようにすると、取り外し具１、１０１、２０１等を無駄なく効率的に構成して、軸状部材であるペン先２とセットで有効に取り扱うことができるようになる。
（第５実施形態）
【００４０】
図８は、軸状部材であるペン先２を収容して流通させるための軸状部材セットたるペン先セット５００を示すもので、ケース５０１内に内容物であるペン先２が収容され、ケース５０１の一部には上記取り外し具１０１、２０１等をミシン目等の破断誘導部５０２を介して切り取ることができるように構成されたものである。
【００４１】
このようにしても、取り外し具１０１、２０１等を無駄なく効率的に構成して、軸状部材であるペン先とセットで取り扱うことができる。勿論、ケース５０１から切り取るのではなく、取り外し具１０１、２０１それ自体でケース５０１を構成しても構わない。
【００４２】
以上、本発明の幾つかの実施形態について説明したが、各部の具体的な構成は、上述した実施形態のみに限定されるものではなく、本発明の趣旨を逸脱しない範囲で種々変形が可能である。
【００４３】
例えば、本発明の適用対象である軸状部材は、ペン先に限らず、例えば図９に示すように、軸部２２１と、この軸部２２１の先端２２１ａに連続する位置にあって当該先端２２１ａよりも径の大きい頭部２２２とを一体的に備え、軸部２２１の先端２２１ａ及び頭部２２２を表出させて取付対象物である壁材等に取り付けられる画鋲等であっても構わない。このようなものに対しても、上記の取り外し具１、１０１、２０１等を適用すれば、当該画鋲を壁材から有効に引き抜くことができる。
【符号の説明】
【００４４】
１、１０１、２０１、３０１…取り外し具
１ａ、１０１ａ、２０１ａ、３０１ａ…基材
２…軸状部材（ペン先）
３…取付対象物（筆記具本体）
１２、１１２、２１２ａ、２１２ｂ、３１２…第１の開口
１３、１１３、２１３ａ、２１３ｂ、３１３…第２の開口
１４、１１４、２１４、３１４…摘み部
２１…軸部
２１ａ…先端（括れ部）
２２…頭部
２１０ａ、２１０ｂ…折り曲げ片
２１０ｃ、２１０ｄ…底片
【図１】
0005964023.tif 000002
【図２】
0005964023.tif 000003
【図３】
0005964023.tif 000004
【図４】
0005964023.tif 000005
【図５】
0005964023.tif 000006
【図６】
0005964023.tif 000007
【図７】
0005964023.tif 000008
【図８】
0005964023.tif 000009
【図９】
0005964023.tif 000010